【事件の表示】
　特願２００５−３７４２２３「プリズムシートとこれを用いたバックライトユニットおよび、バックライトユニットを有する液晶表示装置」拒絶査定不服審判事件〔平成１９年　１月１８日出願公開、特開２００７−　１１２６７〕について、次のとおり審決する。
【結　論】
　本件審判の請求は、成り立たない。
【理　由】
１．手続の経緯
　穂願は，平成１７年１２月２７日の出願（パリ条約による優先権主張　２００５年　６月２９日　韓国）であって，平成２１年　２月１２日付で拒絶査定がなされ，同年　５月１９日に拒絶査定に対する審判請求がなされるとともに，同年　６月１８日付で手続補正書が提出され，その後審判において送付した審尋に対して平成２３年　１月２８日付で回答書が提出されたものである。
　
２．平成２１年　６月１８日付手続補正について
　平成２１年　６月１８日付の手続補正は，請求項１，５，７，１１，１２，１４の「うち」という用語を「内」と漢字表記に変更したものである。
　上記の補正事項は，不明瞭な記載の釈明に該当するから，平成１８年法律第５５号改正附則第３条第１項によりなお従前の例によるとされる同法による改正前の特許法第１７条の２第４項第４号の明りょうでない記載の釈明を目的とするものに該当する。
　したがって，本件補正は適法な補正であると認められる。
　
３．本願発明
　本願の請求項１−１４に係る発明は，平成２１年　６月１８日付け手続補正書により補正された特許請求の範囲の請求項１−１４に記載された事項により特定されるとおりのものと認められるところ，その請求項１に係る発明（以下，「本願発明」という。）は，以下のとおりである。
　
「光を発する少なくとも一つのランプと，
側面に形成された入射面を介して前記ランプから入射される光の進行方向を垂直に変換する導光板と，
前記導光板上に配置され，２０゜〜４０゜の傾斜面を持つように形成された複数のプリズム突出部を通って入射される光を集光するプリズムシートと，
前記プリズムシート上に配置され，前記プリズムシートを透過した光のＳ偏光及びＰ偏光の内いずれか１偏光を増加させる反射型偏光板とを備え，
前記反射型偏光板は，前記傾斜面の角度によって０゜〜１０゜の輝度角分布の半値角を持つことを特徴とするバックライトユニット。」
　
４．引用例の記載
　原査定の拒絶の理由に周知の構成の例として引用された，本願優先日前に日本国内または外国において頒布された特開２００３−２７９９８８号公報（原査定における引用例３。以下「引用例１」という。）には，図面とともに以下の事項が記載されている。なお，以下，下線は当審にて付与した。
　
（１ａ）「【０００７】この問題に対処するため，図１１に点線で示す
反射型の偏光板（以下，単に「反射偏光板」という。）Ｒを上記の下偏光板Ｅの背後に備えた液晶表示装置が提案された。この液晶表示装置の場合，導光板Ｈから照射される光のうち表示に利用されない偏光Ｒｃは反射偏光板Ｒにより反射され，その偏光Ｒｃはバックライトの導光板Ｈの外面に設置した反射板Ｊなどで反射して再度反射偏光板Ｒに戻ってくることになる
【０００８】そこで，バックライトの光の利用効率を高める手法として，反射偏光板Ｒのさらに背後に１／４波長板を備えた液晶表示装置が提案されている。
反射偏光板Ｒの背後に１／４波長板を配置した場合，反射偏光板Ｒで反射された一偏光方向の直線偏光Ｒｃが１／４波長板を透過すると，例えば右回りの円偏光に変換される。この右回りの円偏光がバックライトの導光板の外面に設置した反射板などで反射すると，今度は左回り（逆回り）の円偏光として戻ってきて１／４波長板を透過するため，１／４波長板を透過した後は透過前とは偏光軸が直交した直線偏光に変換される。すると，この直線偏光は今度は反射偏光板Ｒを透過するため，表示に利用することができる。
　
（１ｂ）「【００４１】本発明において，前記
第２の偏光板と前記照明装置との間に反射偏光板が配置されている
【００４２】この発明によれば，
バックライトから照射される光のうちの表示に直接利用されない偏光成分を反射偏光板によってバックライト側に反射させることができるため，当該偏光成分の少なくとも一部を何らかの形で表示に利用することが可能になる
【００４３】本発明において，前記反射偏光板に対して前記液晶セルが配置された側と反対側に第１の位相差板が配置されていることが好ましい。
【００４４】この発明によれば，照明装置から放出された光については，反射偏光板の透過軸と直交する方向の偏光成分が反射偏光板によって反射されてしまうため，その半分程度が観察側に透過することができなくなるが，第１の位相差板を配置することにより，反射偏光板により反射された上記偏光成分の偏光状態を変えることができるため，上記偏光成分が反射板で反射した後であれば，少なくともその一部が反射偏光板を通過できるようにすることが可能になることから，表示の明るさをさらに増大できる。
【００４５】本発明において，前記第１の位相差板が，１／４波長板を少なくとも含むことが好ましい。
【００４６】この発明によれば，
反射偏光板にて反射された上記偏光成分が反射板にて反射されて再び反射偏光板に戻ってくる過程において，反射板での反射の前後において１／４波長板を２度通過することによって，上記偏光成分を９０度回転させ，反射偏光板の透過軸と一致した偏光方向を有する偏光に変換することができるため，効率的に反射偏光板を透過させることができる
【００４７】さらに，本発明において，前記第１の位相差板が，１／４波長板と１／２波長板を含むことが望ましい。ただしこの場合，反射偏光板側に１／２波長板を配置する必要がある。
【００４８】この発明によれば，１／４波長板と１／２波長板とを組み合わせた波長板は広帯域の１／４波長板として知られており，この構成によれば，広い波長帯域で照明光の再利用を図ることができる。」
　
（１ｃ）「【００５５】本発明において，照明装置の導光板の外面側に配置する反射板に関しては，その反射面を鏡面状態とすることが望ましい。
【００５６】
本発明における反射板は，最初に照明装置から出射する光を液晶セル側に導くだけでなく，透過表示における反射偏光板からの反射光の再利用のために機能する
　
（１ｄ）「【００５９】ところで，前記第２の偏光板の透過軸と前記反射偏光板の透過軸の関係については，以下の２通りが考えられる。
【００６０】まず一つは，
第２の偏光板の透過軸と反射偏光板の透過軸を平行とする構成である。この構成によれば，透過表示において反射偏光板を透過した光が全て第２の偏光板の透過軸を透過できるので，透過表示における光の利用効率を最大限に高めることができる
【００６１】これに対して，
第２の偏光板の透過軸と反射偏光板の透過軸を平面的に交差させ，そのなす角ψが０°＜ψ＜１０°の範囲となるように配置することもできる。この構成の場合は上の構成とは逆に，透過表示において反射偏光板を透過した光の一部は第２の偏光板の透過軸を透過できないので，透過表示における光の利用効率は上の構成に比べて若干低下する。その反面，反射表示においては第２の偏光板の透過軸を透過した光の一部が反射偏光板で反射されるので，反射表示を若干明るくすることが可能となる
　
（１ｅ）「【００６９】本実施形態の液晶表示装置１は，図１（ａ）に示すように，液晶セル１５とその外面側に配置された
導光板１６とＬＥＤ１７（光源）とを有するバックライト１８（照明装置）
」，反対側の面を「外面」と呼ぶことにする。」
　
（１ｆ）「【００７１】
液晶表示装置１の断面構造
【００７２】一方，
素子基板２を構成する下ガラス基板２２の外面には，下ガラス基板２２側から下偏光板２３（第２の偏光板），前方散乱層２８，プリズムシート３１，３２がこの順に設けられている
　
（１ｇ）「【００７８】
プリズムシート３１，３２は，観察側（図示上方）の表面に光屈折面３１ａ，３２ａを備えている
【００７９】プ
リズムシート３１の光屈折面３１ａは，図２の紙面と直交する方向に伸び，プリズムシート３２の光屈折面３２ａは，図２の紙面と平行な方向に伸びている。すなわち，光屈折面３１ａの延長方向と，光屈折面３２ａの延長方向とは相互に直交している
　
（１ｈ）「【００８１】再び図２に戻って液晶表示装置１の説明を行う。
バックライト１８は，導光板１６とその入射端面に配置されたＬＥＤ等の光源１７とを有しており
導光板１６の外面側には，表面が鏡面状態とされた反射板２９が設けられている
光源１７は，導光板１６の側方に配置されている
【００８２】また，各偏光板の軸配置に関しては，上偏光板２０と下偏光板２３の透過軸が直交するように配置されている。素子基板２上，対向基板３上に形成された配向膜は直交する方向にラビング処理が施され，これら配向膜間に挟持された液晶層２７は電圧無印加状態で９０°ねじれた状態をとっている。さらに，以下の説明では，上記交差角θ＝０，すなわち，プリズムシート３１の光屈折面３１ａの延長方向，すなわち，光屈折面３１ａと光軸に直交する仮想平面との交差線の延長方向Ｄは，下偏光板２３の透過軸Ｔと平行に構成されている場合と，θが０ではないが上記範囲内にある場合についてそれぞれ述べるものとする。
【００８３】本実施形態では，バックライト１８から出射された光のうち，例えば紙面に垂直な振動方向を有する直線偏光が下偏光板２３を透過し，液晶層２７に入射される。電圧無印加状態では液晶層２７を透過した光は偏光方向が９０°回転し，紙面に平行な振動方向を有する直線偏光に変換されて上偏光板２０を透過し，白表示となる（ノーマリーホワイトモード）。一方，電圧印加状態では，液晶層２７を透過しても偏光方向が紙面に垂直なままであるため，この偏光が上偏光板２０を透過できず，黒表示となる。本実施の形態においては，ノーマリーホワイトモードを採用したことにより，白地に黒表示の画面を低消費電力で実現することができる。
【００８４】この場合，
バックライト１８から出射された光は，プリズムシート３２及び３１を通過することにより光軸に沿った方向に集光される
【００８５】また，バックライト１８から出射された光はプリズムシート３１，３２を通過した後に前方散乱層２８によって前方（すなわち観察側）に散乱される。これは，プリズムシート３１，３２による集光によって生ずる明るさのばらつきを低減する効果を有する。
【００８６】一方，この液晶表示装置１を明るい場所で使用する場合，液晶セル１５の図示上側（観察方向を含むが，通常は観察方向に対してやや傾斜した方向から主に外光が入射する。）から外光が入射する。この入射光のうち，紙面に平行な振動方向を有する直線偏光が上偏光板２０を透過し，液晶層２７に入射される。電圧無印加状態では液晶層２７を透過した光は偏光方向が９０度回転し，紙面に垂直な振動方向を有する直線偏光に変換されて下偏光板２３を通過した後に，前方散乱層２８において散乱を受ける。そして，前方散乱層２８による前方散乱光はプリズムシート３１の表面に入射する。図３（ｂ）はプリズムシート３１の拡大断面図である。
【００８７】ここで，上記の散乱光Ｒｓは下偏光板２３の透過軸と平行な直線偏光であり，上記交差角がθ＝０となっていれば，プリズムシート３１の表面，すなわち光屈折面３１ａに対してはｓ偏光Ｐｓになっていることから，その少なくとも一部が主体的に光屈折面３１ａにて反射し，再び液晶セル１５を透過して観察側に戻る。この場合，散乱光Ｒｓは光屈折面３１ａに対してほとんどすべてがｓ偏光となっているため，光屈折面３１ａにより効率的に反射される。ここで，光屈折面３１ａに対する散乱光Ｒｓの入射角がブリュースター角と一致すればｓ偏光Ｐｓのみが光屈折面３１ａを反射するため，その反射光は全て下偏光板２３を透過する。
【００８８】また，上記交差角θが０でない場合には，上記散乱光Ｒｓには光屈折面３１ａに対するｓ偏光Ｐｓだけでなくｐ偏光Ｐｐも含まれるが，交差角θが上記範囲（絶対値が４５度未満）の値であれば，その半分以上がｓ偏光Ｐｓとなっているため，交差角θが上記範囲外である場合に較べて光屈折面３１ａにおける反射光量は増大し，また，下偏光板２３を透過する光量も増大する。ここで，光屈折面３１ａに対する入射角がブリュースター角と一致する散乱光Ｒｓの反射光がｓ偏光Ｐｓのみとなる点は上記と同様である。
【００８９】上記のプリズムシート３１の光屈折面３１ａによる光反射により生ずる反射光は，前方散乱層２８にて散乱され角度分散した散乱光に基づくものであるとともに，プリズムシート３１の表面には集光作用もあるため，例えば，外光の多くが光軸に対してある程度傾斜した方向から入射する場合でも，上記反射光には光軸に沿った方向に出射される成分が多く含まれることになる。したがって，表示が明るくなり，特に外光の強い明るい場所でも表示が見にくくなることを抑制できる。
【００９０】本実施形態では，図３（ａ）に示すように，プリズムシート３１の表面に
複数の光屈折面３１ａがストライプ状に配列形成されている
観察側（光軸方向，すなわち表示面の法線方向）に効率的に射出させることができ
【００９１】このように，本実施の形態の液晶表示装置１によれば，高入射角を有する外光についても多くを観察側へ戻すことができるため，明るい使用環境下でもある程度の視認性を確保することのできるカラー液晶表示装置を実現することができる。」
　
（１ｊ）「【００９４】［第２実施形態］次に，図４を参照して，本発明に係る第２実施形態について説明する。この実施形態においては，図４に示す
上偏光板２０，上ガラス基板１９，カラーフィルター２１，下ガラス基板２２，下偏光板２３，前方散乱層２８，プリズムシート３１，３２，光源１７，導光板１６及び反射板２９
【００９５】本実施形態では，上記
前方散乱板２８とプリズムシート３１との間に反射偏光板２４が配置されている
【００９６】ここで，下偏光板２３と反射偏光板２４の透過軸が平行となるように配置される。この反射偏光板２４が配置されていることにより，バックライト１８から出射される光のうちの図の紙面と平行な振動方向を有する偏光成分は吸収されることなく反射される。この反射光は，プリズムシート３１の表面で反射されたり，プリズムシート３１，３２を通過して再び導光板１６内に戻り，反射板２９によって反射されたりする。そして，この反射光のうちの一部においてプリズムシート３１，３２による屈折や反射等によって偏光状態が変化すれば，上記反射光の一部はやがて下偏光板２３及び反射偏光板２４を透過して表示の一部として寄与する光となり得る。
【００９７】なお，本実施形態では，下偏光板２３の透過軸と反射偏光板２４の透過軸を平行としたが，下偏光板２３の透過軸と反射偏光板２４の透過軸を平面的に交差させ，そのなす角ψが０°＜ψ＜１０°の範囲となるように配置してもよい。この構成の場合は，透過表示において反射偏光板２４を透過した光の一部は下偏光板２３の透過軸を透過できず，透過表示における光の利用効率は若干低下するが，反射表示においては下偏光板２３の透過軸を透過した光の一部が反射偏光板２４で反射されるので，反射表示をさらに若干明るくすることが可能となる。
【００９８】また，本実施形態において，前方散乱層２８と反射偏光板２４とはいずれがプリズムシート３１側に配置されていても構わない。
【００９９】［第３実施形態］次に，図５を参照して，本発明に係る第３実施形態について説明する。この実施形態においては，図５に示す上
偏光板２０，上ガラス基板１９，カラーフィルター２１，下ガラス基板２２，下偏光板２３，前方散乱層２８，反射偏光板２４，プリズムシート３１，３２，光源１７，導光板１６及び反射板２９
【０１００】本実施形態では，図５に示すように，
反射偏光板２４のさらにバックライト１８側に１／４波長板２６（第１の位相差板）が配置されている
【０１０１】この実施形態では，バックライト１８から放出された光のうち，反射偏光板２４で反射された紙面に平行な振動方向を有する直線偏光は，１／４波長板２６を透過することによって例えば右回りの円偏光に変換される。この右回りの円偏光は，反射板２９等で反射した後，左回りの円偏光として戻り１／４波長板２６を透過するため，１／４波長板２６を透過した後は紙面に垂直な振動方向を有する直線偏光に変換される。この直線偏光は反射偏光板２４および下偏光板２３を透過できるため，表示に利用することができる。このように，反射偏光板２４からの反射光を再利用することによって透過表示をより明るくすることができる。特に本実施の形態の場合，下偏光板２３の透過軸と反射偏光板２４の透過軸が平行であるため，透過表示において反射偏光板２４を透過した光が全て下偏光板２３を透過できるので，透過表示における光の利用効率を最大限に高めることができる。
【０１０２】なお，上記の効果を奏するためには，１／４波長板２６はプリズムシート３１よりも液晶セル１５の側に配置されていてもよい。しかしながら，プリズムシート３１よりも液晶セル１５の側に１／４波長板が配置されている場合には，液晶セル１５に外光が入射し，液晶セル１５を透過してきた直線偏光が１／４波長板２６によって円偏光となるなど，その偏光状態が変化するので，プリズムシート３１の光屈折面３１ａによって反射する反射光量が低下し，本発明特有の効果が損なわれる場合がある。したがって，１／４波長板２６は少なくともプリズムシート３１よりもバックライト１８側に配置されていることが好ましい。
【０１０３】１／４波長板２６は，ポリカーボネート等からなる通常のものを用いてもよいが，できれば波長分散が１以下のものを用いることが好ましい。もしくは，１／４波長板２６の内面側にさらに１／２波長板を装入しても良い。１／４波長板２６のリタデーション値は１００ｎｍ〜１８０ｎｍの範囲にあることが望ましい。その場合，全ての可視光に対して１／４波長板としての機能を果たすことができる。
【０１０４】なお，上記実施形態では，第１の位相差板が１／４波長板であるとして説明したが，前記第１の位相差板としては，例えば３／４波長板など，１／２波長板を除く種々の位相差板を用いることができる。しかしながら，１／４波長板を少なくとも含むことが望ましい。
【０１０５】すなわち，第１の位相差板は必ずしも１／４波長板でなくても，反射偏光板の下面で一旦反射された偏光が照明装置外面の反射板等で反射されて戻ってきたときに第１の位相差板で偏光変換が生じ，反射偏光板を透過できる何らかの成分が発生するので，効果の大小は別として第１の位相差板が無い場合に比べれば反射光の再利用の効果は必ず生じることになる。しかしながら，上で説明したように第１の位相差板を１／４波長板とした場合，反射偏光板の下面で一旦反射された偏光が再度反射されて戻ってきたときには，理論的にはその偏光が１００％反射偏光板を透過できることになり，全てが表示に寄与することができる。そのため，再利用効率を最も高めることができ，他の位相差板を用いた場合と比べてより明るい透過表示を得ることができる。
【０１０６】［第４実施形態］次に，図６を参照して，本発明に係る第４実施形態について説明する。この実施形態においては，図６に示す上偏光板２０，上ガラス基板１９，カラーフィルター２１，
下ガラス基板２２，下偏光板２３，反射偏光板２４，１／４波長板２６，前方散乱層２８，プリズムシート３１，３２，光源１７，導光板１６及び反射板２９
【０１０７】この実施形態では，前方散乱層２８が反射偏光板２４よりもバックライト１８側に配置されている点で，上記第３実施形態とは異なる。ただし，前方散乱層２８がプリズムシート３１よりも液晶セル１５側に配置されている点では第３実施形態と同じである。本実施形態では，前方散乱層２８による散乱位置が異なるだけであり，偏光状態としては第３実施形態と何ら変わることがない。したがって，本実施の形態の液晶表示装置においても，明るい使用環境下でもある程度の視認性が確保できる液晶表示装置を実現することができる，といった上述と同様の効果を得ることができる。
【０１０８】また，この実施形態において，第２実施形態と同様に位相差板（１／４波長板２６）を介在させないように構成してもよい。」
　
（１ｋ）
「【図２】
」
　
（１ｌ）
「【図４】　
」
　
（１ｍ））「【図５】
」
 　
（１ｎ）「【図６】
」
　
　以上の事項から，引用例１には以下の発明（以下「引用例発明」という。）が記載されている。
　
「素子基板２を構成するの下ガラス基板２２の下面に，下ガラス基板２２側から下偏光板２３（第２の偏光板），反射偏光板２４，１／４波長板２６，前方散乱層２８，プリズムシート３１，３２，導光板１６とＬＥＤ１７（光源）とを有するバックライト１８及び反射板２９がこの順に設けられ，
光源１７は，導光板１６の側方に配置され，
　反射偏光板は，バックライトから照射される光のうちの表示に直接利用されない偏光成分をバックライト側に反射させることができ，
　反射偏光板にて反射された偏光成分が，表面が鏡面状態とされた反射板での反射の前後において１／４波長板を２度通過することによって，上記偏光成分を９０度回転させ，反射偏光板の透過軸と一致した偏光方向を有する偏光に変換され再び反射偏光板に戻り，
　プリズムシート３１，３２は，観察側の表面に複数の光屈折面３１ａがストライプ状に配列形成され，バックライト１８から出射された光を光軸に沿った方向に集光する
液晶表示装置の照明構造」
　
　原査定の拒絶の理由に引用された，本願優先日前に日本国内または外国において頒布された刊行物である特開平８−５８０５号公報（原査定における引用文献１。以下，「引用例２」という。）には，図面とともに以下の事項が記載されている。
　
（２ａ）「【請求項１】  光出射面に断面形状が略三角形の突条が形成された集光シートにおいて，
前記集光シートの屈折率が１．６０以上であることを特徴とする集光シート。
【請求項２】  光出射面に断面形状が略三角形の突条が形成された集光シートにおいて，
前記集光シートの屈折率が１．６２以上であることを特徴とする集光シート。
【請求項３】  前記突条の頂角が１００°以上であることを特徴とする請求項１又は２記載の集光シート。
【請求項４】  前記突条の頂角が１１０°以上であることを特徴とする請求項１又は２記載の集光シート。
【請求項５】  前記突条の頂角が１５０°以下であることを特徴とする請求項１乃至４のいずれかに記載記載の集光シート。」
　
（２ｂ）「【０００３】
【従来の技術】図７は従来の
液晶バックライト構造
９１は例えば冷陰極管等の線状の光源，９２はアクリル等の高透過率の材料で作られ，光源９１に隣接して配置され，光源９１より出射した光を導く導光板で
【０００４】９３は光源９１からの光を導光板９２方向に反射する反射板である。
導光板９１の一方の面である反斜面９９(図において下面)には，乳白色等の反射層９４が形成され，反射層９４に当たった光が拡散作用を受け，導光板９２の他方の面である透過面９８から液晶表示面９５に向かって出射する
【０００５】
導光板９２と液晶表示面９５との間には，反射層９４のみが明るく見えるといった視覚影響を緩和する拡散シート９６と，シート面と垂直な方向(正面方向)に集光作用を持つ集光シート９７とが配置されている
【０００６】そして，導光板９２の透過面９８を出射した光は，拡散シート９６により，一旦拡散され，
集光シート９７により光線が正面方向に屈折され，正面方向の輝度が高められる
【０００７】このようなバックライト構造に関しては，導光板等の各素子の光の利用効率を上げる工夫が数多く提案されている。その中でも，正面方向に集光作用を有する集光シートに関しては，特開昭６３−３１８００３号公報，特開平５−２4１１4７号公報に記載されたものがある。
【０００８】図８はこのような集光シートの代表的な断面図である。
集光シート１００の一方の面側に形成された光出射面１０１には，断面形状が略三角形の突条１０２が平行に形成されている
【０００９】尚，図９及び図１０で示す光の分布を説明する図において，光線の角度の定義は，図１に示すように，光出射面と直交する方向を０°とし，光出射面と平行な方向を＋９０°，−９０°とし，各角度での輝度(nt:ニット)をプロットしたものである。
【００１０】
【発明が解決しようとする課題】しかし，上記構成のプリズムシート１００においては，突条１０２の一方の斜面で全反射するような光(図おいて，a)は，他方の斜面より角度の絶対値が大きい方向(サイドローブ)へ出射される。
【００１１】一方，ノートタイプのコンピュータはパーソナルユースが多いので，実用的な視野角は狭く，このサイドローブ部分の光は通常利用されない領域である。そして，サイドローブへ光が行くと，正面方向の輝度が上がらないという問題点がある。
【００１２】本発明は上記問題点に鑑みてなされたもので，その目的は，サイドローブ光束が少なく，
且つ正面輝度が高い光束を出射する集光シート
　
（２ｃ）「【００２０】
【実施例】次に図面を用いて本発明の実施例を説明する。図１は本発明の一実施例の集光シートの断面構成図である。
【００２１】図において，集光シート１は光線を入射面４が平面であり，光出射面２には，断面形状が頂角θの三角形の突条３が形成されている。
集光シート１の光出射面２には断面形状が頂角θの二等辺三角形の突条３が平行に形成されている
【００２２】尚，結像光学系と異なり，集光シート１は巨視的に略三角形状をしていれば，本発明の目指す効果が得られる。そのため，突条３の頂点が完全な頂点である必要はなく，R状に丸められてもよい。又，突条３の斜辺部分が完全な直線でなくてもよい。
【００２３】
集光シート１へ入射する光線の角度分布が図９のように０°を中心として，プラス，マイナスで対称である場合は，断面形状が三角形の突条３が略二等辺三角形となるように形成すればよく
　
（２ｄ）「【００２５】このような構成の
集光シート１を用いて
(１) 屈折率１．６５の集光シート１の突条３の頂角θを変化させた時の，半値角，正面輝度，サイドローブ最大輝度及びサイドローブ角の変化を調べた(図２)。
【００２６】(２) 頂角１１０°の集光シートの屈折率を変化させた時の，半値角，正面輝度，サイドローブ最大輝度及びサイドローブ角の変化を調べた(図３)。尚，ここで，上記各特性値の定義は図１０に示すように，正面輝度とは図９に示すような拡散光束を入射させた時の集光シート１を透過した光束の正面方向での輝度値である。
【００２７】サイドローブ角はサイドローブが発生している角度であり，図１０の輝度カーブの変曲点の発生する角度と９０°の差分の絶対値と等しい角度であり，サイドローブが発生しない場合はサイドローブ角は０°となる。
【００２８】　又，サイドローブ最大輝度は，サイドローブ角より大きい所での輝度の最大値であり，半値角は，正面輝度の半分の輝度を持つ角度である。先ず，図３より次のことがわかった。
【００２９】(１) 同一頂角においては，正面輝度が屈折率が１．６０以上の時に高い値をとる。
 (２) 更に限定すると，屈折率が１．６２以上であれば，正面輝度が更に高くなる。屈折率が１．６０以上，１．７０以下の時に正面輝度が高くなり，更に，１．６２以上，１．６８以下のときに正面輝度が高くなる。
【００３０】(３) 屈折率の上昇に対し，正面輝度は上昇するが，半値角が減少しているので，光束の角度分布が狭くなっている。
次に，図２より次のことがわかった。
【００３１】(１) 同一屈折率の場合，頂角が１００°以上の時に正面輝度が高くなる。
(２) 更に，
正面輝度が高いのは１１０°以上のときである。(３) 頂角が１５０°以上になると，正面輝度は減少する
【００３２】よって，図１及び図２より，屈折率を１．６０以上，且つ頂角を１００°以上とすることで正面輝度が高く，指向性の強い，又サイドローブの少ない光束を得ることができる。更に，屈折率を１．６２以上とすれば，さらに正面輝度を高めることができる。
【００３３】次に，図４を用いて屈折率１．７０，頂角１２０°の集光シートの光出射面から出射する光の角度分布を示す。従来の集光シート(屈折率１．５９，頂角９０°)と比較すると，サイドローブが少なく，且つ正面輝度が約２５％程高くなっていることがわかる。
【００３４】又，本
実施例の集光シートは，図５及び図６に示すように，複数枚重ねて使用してもよい
【００３５】図５のように突条が平行になるように重ねると，集光シート１である程度集光した光線を更に集光シート１′により集光することができる。図６のように突条が交差するように重ねると，出射光線の直交する二方向において，集光作用をもたせることができる。
【００３６】
【発明の効果】以上述べたように本発明によれば，第１の発明の集光シートによれば，集光シートの屈折率を１．６０以上としたことにより，サイドローブ光束が少なく，且つ正面輝度が高くなる。
【００３７】第２の発明の集光シートによれば，集光シートの屈折率を１．６２以上としたことにより，第１の発明の集光シートより更に正面輝度が向上する。更に，第１の発明及び第２の発明において，突条の頂角を１００°以上にしたことにより，サイドローブ光束を防ぐことができる。
【００３８】
突条の頂角を１１０°以上としたことにより，正面方向の輝度を上げることができる
突条の頂角を１５０°以下としたことにより，正面方向の輝度を上げることができる
【００３９】集光シートを複数枚重ねることにより，サイドローブの少なく，正面輝度が向上することができる。」
　　
（２ｅ）「【図１】
」
　
（２ｆ）「【図８】
」
　
５．対比
　引用例発明の「光源１７」は，本願発明の「光を発する少なくとも一つのランプ」に相当する。
　引用例発明において，「バックライト１８」の「光源１７」が「導光板１６の側方に配置され」，「光」が「反射偏光板」に「バックライト１８から照射される」ことは，本願発明において，「導光板」が「側面に形成された入射面を介して前記ランプから入射される光の進行方向を垂直に変換する」ことに相当する。
　引用例発明の「プリズムシート３１，３２」が「観察側の表面に複数の光屈折面３１ａがストライプ状に配列形成され，バックライト１８から出射された光を光軸に沿った方向に集光する」ことは，本願発明の「プリズムシート」が「導光板上に配置され，傾斜面を持つように形成された複数のプリズム突出部を通って入射される光を集光する」ことに相当する。
　引用例発明では「素子基板２を構成するの下ガラス基板２２の下面に，下ガラス基板２２側から下偏光板２３（第２の偏光板），反射偏光板２４，・・・プリズムシート３１，３２，・・・バックライト１８及び反射板２９がこの順に設けられ」ているのであるから、引用例発明の「反射偏光板２４」が「下偏光板２３」と「プリズムシート３１，３２」との間に配置され，「バックライトから照射される光のうちの表示に直接利用されない偏光成分をバックライト側に反射させることができ，反射偏光板にて反射された偏光成分が，表面が鏡面状態とされた反射板での反射の前後において１／４波長板を２度通過することによって，上記偏光成分を９０度回転させ，反射偏光板の透過軸と一致した偏光方向を有する偏光に変換され再び反射偏光板に戻」ることは，本願発明の「反射型偏光板」が「プリズムシート上に配置され，前記プリズムシートを透過した光のＳ偏光及びＰ偏光の内いずれか１偏光を増加させる」ことに相当する。
　
　したがって，引用例発明と本願発明とは　
「光を発する少なくとも一つのランプと，
側面に形成された入射面を介して前記ランプから入射される光の進行方向を垂直に変換する導光板と，
前記導光板上に配置され，傾斜面を持つように形成された複数のプリズム突出部を通って入射される光を集光するプリズムシートと，
前記プリズムシート上に配置され，前記プリズムシートを透過した光のＳ偏光及びＰ偏光の内いずれか１偏光を増加させる反射型偏光板とを備えるバックライトユニット。」
　で一致し，以下の点で相違する。
　
（相違点）
　本願発明の「プリズムシート」が「２０゜〜４０゜の傾斜面を持つ」ことによって「反射型偏光板は，前記傾斜面の角度によって０゜〜１０゜の輝度角分布の半値角を持つ」のに対して，引用例発明では傾斜面の角度は不明であり，輝度角分布に関する記載がない点。
　
６．検討
６−１．相違点について
　上記（２ａ）〜（２ｆ）によれば，引用例２では，導光板９２が光源９１より出射し，導光板９２の一方の面である反射面９９に当たった光を，導光板９２の他方の面である透過面９８から液晶表示面９５に向かって出射する。ここで、導光板９２と液晶表示面９５との間に配置された集光シート９７において，シート面と垂直な方向(正面方向)に集光作用を持つ断面が二等辺三角形の突条の頂角が１１０°以上１５０°以下であり、集光シートの正面方向の輝度が上昇している（上記（２ｄ）【００３１】参照。）
　引用例２は、引用例１と同様に，導光板の側方に隣接して設けられた光源からの光を液晶表示装置に集光する三角形断面のストライプ状の光出射面を有するシートを用いたバックライトの照明構造に関する点で共通し（上記（１ｆ）【００７２】【０１０６】及び（２ｂ）【０００３】〜【０００５】【００２０】参照）、正面輝度を上昇させることを同じ課題としている（上記（１ｉ）【００９０】及び（２ｂ）【０００６】参照）。
　したがって，このような引用例２の集光シートを引用例発明のプリズムシートとして採用することに格別の困難性はない。
　
　そして，頂角が１１０°以上１５０°の引用例２の集光シートを引用例発明のプリズムシートとして採用した場合，突条の底角すなわち突条の傾斜面の傾斜度は１５°〜３０°となる。他方、本願発明の傾斜面の傾斜は２０°〜４０°である。してみると，両者の傾斜面の角度は同程度であって、正面方向の輝度が同様に得られるから，半値角は本願発明の「０°〜１０°」と同程度になるといえる。したがって、本願発明の効果は、引用例発明及び引用例２に記載された技術的事項から予測される程度のものである。
　
６−２．請求人の主張について
　請求人は，平成２０年１２月２６日付意見書において，
「引用文献１−３の図面及び詳細な説明には，どこにも反射型偏光版の半値角をプリズムシートに形成されたプリズム突出部の傾斜角度によって０゜〜１０゜の輝度角分布の半値角を持つようにすること」は開示されていない旨主張する。
　しかし，「６−１」でも指摘したように，頂角が１１０°以上１５０°の引用例２の集光シートを引用例発明のプリズムシートとして採用した場合に，半値角は本願発明の「０°〜１０°」と同程度になると言えるから，上記主張は採用できない。
　
　また，請求人は，平成２１年　７月２８日付手続補正書における請求の理由において，
「以下，本件発明の特許性について説明する。
　本件発明における反射型偏光板は，以下のような２つの特徴を有する。
　第１に，本件発明における反射型偏光板は，プリズムシートにより集光された光のＳ偏光及びＰ偏光の内の一つを透過し，Ｓ偏光及びＰ偏光の他のいずれかを反射する。このような本件発明の特徴を開示し又は示唆する引用文献はない。」
と主張する。
　しかし，「５．」でも検討したように，引用例発明の「反射偏光板２４」が「下偏光板２３」と「プリズムシート３１，３２」との間に配置され，「バックライトから照射される光のうちの表示に直接利用されない偏光成分をバックライト側に反射させることができ，反射偏光板にて反射された偏光成分が，表面が鏡面状態とされた反射板での反射の前後において１／４波長板を２度通過することによって，上記偏光成分を９０度回転させ，反射偏光板の透過軸と一致した偏光方向を有する偏光に変換され再び反射偏光板に戻」ることは，本願発明の「反射型偏光板」が「プリズムシート上に配置され，前記プリズムシートを透過した光のＳ偏光及びＰ偏光の内いずれか１偏光を増加させる」ことに相当するから，上記の指摘は妥当ではない。
　また，請求人は，
「第２に，本件発明における反射型偏光板は，傾斜面の角度によって０乃至１０°の輝度角分布の半値角を有する。審査官殿は，引用文献１（特開平８−５８０５，図５）の集光シートが，本件発明における反射型偏光板に対応する旨指摘されている。しかしながら，以下に示されるように，引用文献１の図５に示される集光シートは，本件図６に示されるような反射型偏光板１６０と同等のものではない。したがって，引用文献１は，本件発明における「反射型偏光板は，傾斜面の角度によって０乃至１０°の輝度角分布の半値角を有する」旨の特徴事項を開示も示唆もするものではない。」
と主張する。
　しかし，引用例２の図５及び図６は「複数枚重ねて使用しても良い」という例を示したものに過ぎない。（引用例２【００３４】（２ｄ）参照。）
　引用例２の【００２５】〜【００３３】の頂角と正面輝度との関係の検討とそれに基づく発明の効果【００３８】の説明は，引用例２図５や図６に記載されたような重ねた集光シートに関するものではなく，あくまでも「集光シート１」（引用例２【００２５】（２ｄ）参照）について測定したものである。
　したがって，「引用文献１の図５に示される集光シートは，本件図６に示されるような反射型偏光板１６０と同等のものではない。」という指摘は，妥当な反論ではない。
　
６−３．まとめ
　以上のことから，本願発明は，引用例発明及び引用例２に記載された技術的事項に基いて当業者が容易に発明をすることができたものであり，特許法第２９条第２項の規定より，特許を受けることができない。
　
７．むすび
　したがって，請求項１以外の請求項に係る発明について検討するまでもなく，本願は拒絶すべきものである。
　
　なお，請求人は，平成２３年　１月２８日付回答書の中で
「２．出願人は，下記補正案を提示致しますので、該補正案における補正後の請求項に係る発明について御審理いただきますようお願い申し上げます。」と，主張している。
　しかし，本件においては，すでに十分に説明と補正の機会を与えてきたことから，特許法第１７条の２で規定する補正の制限，行政効率及び行政の公平性などの観点からみて妥当でないので上記要望には応じられない。（なお，補正案の「３７°の傾斜面」とすることで輝度角分布の半値角が「１°」となるとしても，傾斜面の角度及び輝度角分布の半値角は，引用例２の集光シートを引用例発明のプリズムシートとして採用した場合と同程度であり，格別の効果の差異は認められない。）
　
　よって，結論のとおり審決する。